(57)【要約】【課題】複数のＡ／Ｄコンバータ及びＤ／Ａコンバータを無線通信機等に使用する場合に、その出力レベルの誤差調整を外部回路を必要なしに自動で行う。【解決手段】この発明は、Ａ／Ｄコンバータ３、４間の出力レベルおよびＤ／Ａコンバータ１１、１２の出力レベルの誤差調整を行うために、スイッチ１、２、出力レベル調整部５、入力レベル調整部１０、及び調整部１５を備えている。Ａ／Ｄコンバータ３、４間の出力レベルの誤差調整を行う場合は、調整用データ生成部１６からの調整用データが、入力レベル調整部１０、１つのＤ／Ａコンバータ１２を経由して、Ａ／Ｄコンバータ３、４、および出力レベル調整部５に供給されるようにする。レベル測定部５は、Ａ／Ｄコンバータ３、４の各出力レベルを測定し、この測定レベルの誤差に応じて、調整制御部１９は、出力レベル調整部５の出力レベルの調整を行う。【選択図】  図１
2004242028.tif 000002
【特許請求の範囲】
【請求項１】
Ｎ（Ｎは２以上の整数）個のＡ／Ｄコンバータと、Ｍ（Ｍは、Ｍ＝ＮまたはＭ＜Ｎとする）個のＤ／Ａコンバータとを有する複合装置において、
前記Ｍ個のＤ／Ａコンバータのうちの１つに調整用デジタル信号を入力してＤ／Ａ変換させてアナログ信号を取得し、この取得したアナログ信号を前記Ｎ個のＡ／Ｄコンバータにそれぞれ入力させてＡ／Ｄ変換させて各デジタル信号を取得し、この取得した各デジタル信号のレベル差に基づいて前記Ｎ個のＡ／Ｄコンバータの入力レベルまたは出力レベルのうちの少なくとも一方を調整する第１のステップと、
調整用デジタル信号を前記Ｍ個の各Ｄ／Ａコンバータに入力してそれぞれＤ／Ａ変換させて各アナログ信号を取得し、この取得した各アナログ信号を前記調整済みのＮ個のＡ／Ｄコンバータにそれぞれ入力させてＡ／Ｄ変換させて各デジタル信号を取得し、この取得した各デジタル信号のレベル差に基づいて前記Ｍ個のＤ／Ａコンバータの入力レベルまたは出力レベルの少なくとも一方を調整をする第２のステップと、
からなることを特徴とするＡ／ＤコンバータとＤ／Ａコンバータの自己調整方法。
【請求項２】
Ｎ（Ｎは２以上の整数）個のＡ／Ｄコンバータと、Ｍ（Ｍは、Ｍ＝ＮまたはＭ＜Ｎとする）個のＤ／Ａコンバータとを有する複合装置において、
前記Ｍ個のＤ／Ａコンバータのうちの１つに調整用デジタル信号を入力してＤ／Ａ変換させてアナログ信号を取得し、この取得したアナログ信号を前記Ｎ個のＡ／Ｄコンバータにそれぞれ入力させてＡ／Ｄ変換させて各デジタル信号を取得し、この取得した各デジタル信号のレベル差に基づいて前記Ｎ個のＡ／Ｄコンバータの入力レベルまたは出力レベルのうちの少なくとも一方を調整し、
この調整後、調整用デジタル信号を前記Ｍ個の各Ｄ／Ａコンバータに入力してそれぞれＤ／Ａ変換させて各アナログ信号を取得し、この取得した各アナログ信号を前記調整済みのＮ個のＡ／Ｄコンバータにそれぞれ入力させてＡ／Ｄ変換させて各デジタル信号を取得し、この取得した各デジタル信号のレベル差に基づいて前記Ｍ個のＤ／Ａコンバータの入力レベルまたは出力レベルの少なくとも一方を調整をする調整手段を、備えたことを特徴とするＡ／ＤコンバータとＤ／Ａコンバータの自己調整装置。
【請求項３】
Ｎ（Ｎは２以上の整数）個のＡ／Ｄコンバータと、Ｍ（Ｍは、Ｍ＝ＮまたはＭ＜Ｎとする）個のＤ／Ａコンバータとを有する複合装置において、
前記Ｎ個のＡ／Ｄコンバータの入力レベルまたは出力レベルのうちの少なくとも一方を調整する調整値をそれぞれ設定できる第１レベル調整手段と、
前記Ｍ個のＤ／Ａコンバータの入力レベルまたは出力レベルのうちの少なくとも一方を調整する調整値をそれぞれ設定できる第２レベル調整手段と、
前記Ｍ個のＤ／Ａコンバータの各出力側と前記Ｎ個のＡ／Ｄコンバータの各入力側との間の任意の接続を行うスイッチと、
前記Ｍ個のＤ／Ａコンバータのうちの所定の１つのＤ／Ａコンバータの出力側と前記Ｎ個のＡ／Ｄコンバータの各入力側とがそれぞれ接続されるように前記スイッチを制御し、その後、前記１つのＤ／Ａコンバータに調整用のデジタル信号を入力させて前記Ｎ個のＡ／Ｄコンバータの各出力レベルをそれぞれ測定し、その各測定値の差に応じて前記第１レベル調整手段の入力レベルまたは出力レベルのうちの少なくとも一方を調整する調整値を設定する第１調整制御手段と、
前記Ｍ個のＤ／Ａコンバータの各出力側と前記Ｎ個のＡ／Ｄコンバータの対応する各入力側とがそれぞれ接続されるように前記スイッチを制御し、その後、前記Ｍ個のＤ／Ａコンバータに調整用のデジタル信号をそれぞれ入力させ、前記Ｎ個のＡ／Ｄコンバータの各出力レベルをそれぞれ測定し、その各測定値の差に応じて前記第２レベル調整手段の入力レベルまたは出力レベルのうちの少なくとも一方を調整する調整値を設定する第２調整制御手段と、
を備えたことを特徴とするＡ／ＤコンバータとＤ／Ａコンバータの自己調整装置。
【請求項４】
前記複合装置は、ＯＦＤＭ信号を送受信できる無線通信機に設けられていることを特徴とする請求項２または請求項３に記載のＡ／ＤコンバータとＤ／Ａコンバータの自己調整装置。
【発明の詳細な説明】
【０００１】
【発明の属する技術分野】
本発明は、複数のＡ／Ｄコンバータおよび複数のＤ／Ａコンバータとを有する複合装置に適用されるものであって、そのＡ／ＤコンバータとそのＤ／Ａコンバータの自己調整方法およびその自己調整装置に関するものである。
【０００２】
【従来の技術】
複数のＡ／Ｄコンバータおよび複数のＤ／Ａコンバータを含む機器として、無線通信機などが知られている。
例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）  信号を送受信できる無線通信機では、復調器と変調器とを有している。そして、その復調器はアナログ形態のＩ信号とＱ信号をそれぞれＡ／Ｄ変換する２個のＡ／Ｄコンバータを含み、その変調器はデジタル形態のＩ信号とＱ信号をそれぞれＤ／Ａ変換する２個のＤ／Ａコンバータを含んでいる。
【０００３】
【発明が解決しようとする課題】
ところが、その２個のＡ／Ｄコンバータとその２個のＤ／Ａコンバータには、それぞれ製造のばらつきがあり、このばらつきにより出力レベルなどに誤差が生じてしまう場合がある。
このため、その製造のばらつきによる出力レベルの誤差などの調整を行うために、Ａ／ＤコンバータとＤ／Ａコンバータの調整用の各外部回路を設け、この各外部回路を用いて所定の手順でＡ／ＤコンバータとＤ／Ａコンバータの出力レベルの調整をそれぞれ行うようにしていた。
【０００４】
しかし、このような従来の調整方法では、各外部回路が必要な上に、その調整に人手が必要であるという不都合があった。
そこで、本発明の目的は、複数のＡ／Ｄコンバータおよび複数のＤ／Ａコンバータを無線通信機などに使用する場合に、その出力レベルの誤差調整を外部回路を必要とせずに自動で行うことができるようにした、Ａ／ＤコンバータとＤ／Ａコンバータの自己調整方法およびその自己調整装置を提供することにある。
【０００５】
【課題を解決するための手段】
上記の課題を解決し本発明の目的を達成するために、各発明は、以下のように構成した。
即ち、第１の発明は、Ｎ（Ｎは２以上の整数）個のＡ／Ｄコンバータと、Ｍ（Ｍは、Ｍ＝ＮまたはＭ＜Ｎとする）個のＤ／Ａコンバータとを有する複合装置において、前記Ｍ個のＤ／Ａコンバータのうちの１つに調整用デジタル信号を入力してＤ／Ａ変換させてアナログ信号を取得し、この取得したアナログ信号を前記Ｎ個のＡ／Ｄコンバータにそれぞれ入力させてＡ／Ｄ変換させて各デジタル信号を取得し、この取得した各デジタル信号のレベル差に基づいて前記Ｎ個のＡ／Ｄコンバータの入力レベルまたは出力レベルのうちの少なくとも一方を調整する第１のステップと、調整用デジタル信号を前記Ｍ個の各Ｄ／Ａコンバータに入力してそれぞれＤ／Ａ変換させて各アナログ信号を取得し、この取得した各アナログ信号を前記調整済みのＮ個のＡ／Ｄコンバータにそれぞれ入力させてＡ／Ｄ変換させて各デジタル信号を取得し、この取得した各デジタル信号のレベル差に基づいて前記Ｍ個のＤ／Ａコンバータの入力レベルまたは出力レベルの少なくとも一方を調整をする第２のステップと、からなることを特徴とするものである。
【０００６】
第２の発明は、Ｎ（Ｎは２以上の整数）個のＡ／Ｄコンバータと、Ｍ（Ｍは、Ｍ＝ＮまたはＭ＜Ｎとする）個のＤ／Ａコンバータとを有する複合装置において、前記Ｍ個のＤ／Ａコンバータのうちの１つに調整用デジタル信号を入力してＤ／Ａ変換させてアナログ信号を取得し、この取得したアナログ信号を前記Ｎ個のＡ／Ｄコンバータにそれぞれ入力させてＡ／Ｄ変換させて各デジタル信号を取得し、この取得した各デジタル信号のレベル差に基づいて前記Ｎ個のＡ／Ｄコンバータの入力レベルまたは出力レベルのうちの少なくとも一方を調整し、この調整後、調整用デジタル信号を前記Ｍ個の各Ｄ／Ａコンバータに入力してそれぞれＤ／Ａ変換させて各アナログ信号を取得し、この取得した各アナログ信号を前記調整済みのＮ個のＡ／Ｄコンバータにそれぞれ入力させてＡ／Ｄ変換させて各デジタル信号を取得し、この取得した各デジタル信号のレベル差に基づいて前記Ｍ個のＤ／Ａコンバータの入力レベルまたは出力レベルの少なくとも一方を調整をする調整手段を、備えたことを特徴とするものである。
【０００７】
第３の発明は、Ｎ（Ｎは２以上の整数）個のＡ／Ｄコンバータと、Ｍ（Ｍは、Ｍ＝ＮまたはＭ＜Ｎとする）個のＤ／Ａコンバータとを有する複合装置において、前記Ｎ個のＡ／Ｄコンバータの入力レベルまたは出力レベルのうちの少なくとも一方を調整する調整値をそれぞれ設定できる第１レベル調整手段と、前記Ｍ個のＤ／Ａコンバータの入力レベルまたは出力レベルのうちの少なくとも一方を調整する調整値をそれぞれ設定できる第２レベル調整手段と、前記Ｍ個のＤ／Ａコンバータの各出力側と前記Ｎ個のＡ／Ｄコンバータの各入力側との間の任意の接続を行うスイッチと、前記Ｍ個のＤ／Ａコンバータのうちの所定の１つのＤ／Ａコンバータの出力側と前記Ｎ個のＡ／Ｄコンバータの各入力側とがそれぞれ接続されるように前記スイッチを制御し、その後、前記１つのＤ／Ａコンバータに調整用のデジタル信号を入力させて前記Ｎ個のＡ／Ｄコンバータの各出力レベルをそれぞれ測定し、その各測定値の差に応じて前記第１レベル調整手段の入力レベルまたは出力レベルのうちの少なくとも一方を調整する調整値を設定する第１調整制御手段と、前記Ｍ個のＤ／Ａコンバータの各出力側と前記Ｎ個のＡ／Ｄコンバータの対応する各入力側とがそれぞれ接続されるように前記スイッチを制御し、その後、前記Ｍ個のＤ／Ａコンバータに調整用のデジタル信号をそれぞれ入力させ、前記Ｎ個のＡ／Ｄコンバータの各出力レベルをそれぞれ測定し、その各測定値の差に応じて前記第２レベル調整手段の入力レベルまたは出力レベルのうちの少なくとも一方を調整する調整値を設定する第２調整制御手段と、を備えたことを特徴とするものである。
【０００８】
第４の発明は、第２の発明または第３の発明において、前記複合装置は、ＯＦＤＭ信号を送受信できる無線通信機に設けられていることを特徴とするものである。
このように、本発明によれば、複数のＡ／Ｄコンバータおよび複数のＤ／Ａコンバータを無線通信機などに使用する場合に、その出力レベルの誤差調整を外部回路を必要とせずに自動で行うことができる。
【０００９】
【発明の実施の形態】
以下、本発明の実施の形態について図面を参照して説明する。
図１は、本発明の第１実施形態をＯＦＤＭ信号を送受信できる無線通信機に適用したものである。
この第１実施形態に係る無線通信機は、図１に示すように、切換スイッチ１、２と、２個のＡ／Ｄコンバータ３、４と、出力レベル調整部５と、復調データ処理部６とで受信系の一部を構成している。ここで、切換スイッチ１、２と、Ａ／Ｄコンバータ３、４とは、図示しない発振器や乗算器とで復調器の一部を構成している。
【００１０】
このような構成の受信系は、ＯＦＤＭ信号を受信の際には、入力端子７、８から入力されるアナログ形態のＩ信号とＱ信号が、Ａ／Ｄコンバータ３、４でそれぞれＡ／Ｄ変換され、このＡ／Ｄ変換されたデジタルデータが出力レベル調整部５を経て復調データ処理部６で復調処理される。
また、この無線通信機は、図１に示すように、変調データ生成部９と、入力レベル調整部１０と、図示しない発振器や乗算器と変調器の一部を構成する２個のＤ／Ａコンバータ１１、１２とで送信系の一部を構成している。
【００１１】
このような構成の送信系では、送信の際には、変調データ生成部９で生成されたデジタル形態の変調データが、入力レベル調整部１０を経てＤ／Ａコンバータ１１、１２でそれぞれＤ／Ａ変換された各アナログ信号が出力端子１３、１４から出力される。
さらに、この無線通信機は、Ａ／Ｄコンバータ３、４間の出力レベルの誤差調整と、Ｄ／Ａコンバータ１１、１２間の出力レベルの誤差調整とを行うために、上記の切換スイッチ１、２、出力レベル調整部５および入力レベル調整部１０の他に、調整部１５を備えている。
【００１２】
この調整部１５は、図１に示すように、調整用データ生成部１６と、レベル測定部１７と、スイッチ切換制御部１８と、調整制御部１９とからなる。
なお、出力レベル調整部５と、復調データ処理部６と、変調データ生成部９と、入力レベル調整部１０と、調整部１５とによりベースバンド部を構成するようになっている。
【００１３】
さらに詳述すると、切り換えスイッチ１は３つの端子１ａ、１ｂ、１ｃを備え、スイッチ切換制御部１８からのスイッチ切換信号により切り換え接点が端子１ａ、１ｂ、１ｃのうちの１つと接続できるようになっており、通常は、図１に示すように切り換え接点が端子１ａと接続されるようになっている。
同様に、切り換えスイッチ２は３つの端子２ａ、２ｂ、２ｃを備え、スイッチ切換制御部１８からのスイッチ切換信号により切り換え接点が端子２ａ、２ｂ、２ｃのうちの１つと接続できるようになっており、通常は、図１に示すように切り換え接点が端子２ａと接続されるようになっている。
【００１４】
出力レベル調整部５は、Ａ／Ｄコンバータ３、４間の出力レベルの誤差調整を行うものであり、その各出力レベルを調整する調整値が、調整制御部１９によって設定されるようになっている。
この出力レベル調整部５は、例えば、Ａ／Ｄコンバータ３、４から出力される各デジタル値に対してそれぞれ掛け算を行う２つの掛け算器からなる。そして、この２つの掛け算器は、その掛け算の際の各係数値がそれぞれ設定でき、かつ調整制御部１９によりその各係数値が設定できるようになっている。
【００１５】
入力レベル調整部１０は、Ｄ／Ａコンバータ１１、１２間の出力レベルの誤差調整をするためのものであり、そのＤ／Ａコンバータ１１、１２の各入力レベルを調整する調整値が、調整制御部１９によりそれぞれ設定できるようになっている。
この入力レベル調整部１０は、例えば、Ｄ／Ａコンバータ１１、１２に入力される各デジタル値に対してそれぞれ掛け算を行う２つの掛け算器からなる。そして、この２つの掛け算器は、その掛け算の際の各係数値がそれぞれ設定でき、かつ調整制御部１９により、その各係数値が設定できるようになっている。
【００１６】
調整用データ生成部１６は、後述のように、Ａ／Ｄコンバータ３、４間の出力レベルの誤差調整、およびＤ／Ａコンバータ１１、１２間の出力レベルの誤差調整の際に、調整制御部１９からの指示に基づいて所定の調整用データ（デジタルデータ）を生成して出力するものである。
レベル測定部１７は、後述のように誤差調整の際に、Ａ／Ｄコンバータ３、４の各出力レベルをそれぞれ測定するものであり、その各測定値は調整制御部１９に供給されるようになっている。
【００１７】
スイッチ切換制御部１８は、後述のように誤差調整の際に、切り換えスイッチ１、２の各切り換え接点の切り換え制御を行うものであり、その切り換えは例えば調整制御部１９からの指示に基づいて行うようになっている。
調整制御部１９は、後述のように誤差調整の際に、各部の制御を行うものであり、例えばマイクロコンピュータで構成されるとともに、その制御手順を記憶するＲＯＭや各種のデータを記憶するＲＡＭを含む。
【００１８】
次に、このような構成からなる第１実施形態において、調整部１５が行うＡ／Ｄコンバータ３、４間の出力レベルの誤差調整、およびＤ／Ａコンバータ１１、１２間の出力レベルの誤差調整について説明する。
この誤差調整は、例えば、製品の製造／出荷時、ユーザの使用の際の電源投入時などに行うが、以下では電源投入時の場合について説明する。
【００１９】
まず、Ａ／Ｄコンバータ３、４間の出力レベルの誤差調整について、図１を参照して説明する。
この場合には、スイッチ切換制御部１８からの切り換え制御信号により、切り換えスイッチ１の切り換え接点が端子１ｂの位置に切り換えられるとともに、切り換えスイッチ２の切り換え接点が端子２ｂの位置に切り換えられる。
【００２０】
次に、調整用データ生成部１６は、調整制御部１９からの指示に基づいて所定の調整用データ（デジタルデータ）を生成する。この生成された調整用データは、入力レベル調整部１０を経てＤ／Ａコンバータ１２のみに供給される。このとき、入力レベル調整部１０には、調整制御部１９により所定の調整値が設定されている。
【００２１】
その調整用データは、Ｄ／Ａコンバータ１２でアナログ信号に変換される。この変換された各アナログ信号は、スイッチ１を経由してＡ／Ｄコンバータ３に供給されると同時に、スイッチ２を経由してＡ／Ｄコンバータ４に供給される。
その供給された各アナログ信号は、Ａ／Ｄコンバータ３、４でデジタル信号にそれぞれ変換され、この変換された各デジタル信号は、出力レベル調整部５とレベル測定部１７にそれぞれ供給される。レベル測定部１７は、その各デジタル信号の各レベルをそれぞれ測定し、その各測定値を調整制御部１９に供給する。
【００２２】
調整制御部１９は、その両デジタル信号の両レベルを比較し、その両レベル差に応じて、出力レベル調整部５の出力レベルの調整を行う。
例えば、出力レベル調整部５が、Ａ／Ｄコンバータ３、４から出力される各デジタル値に対してそれぞれ掛け算を行う２つの掛け算器からなり、その掛け算の各係数値が設定できる場合には、その各係数値が調整制御部１９により以下のように設定し、以後、その設定値に固定される。
【００２３】
すなわち、調整制御部１９は、その測定した両デジタル信号の両レベルが同じ場合には、予め決められている同一の係数値を、その２つの掛け算器に対してそれぞれ設定する。
一方、調整制御部１９は、その測定した両デジタル信号の両レベルに差があるときには、その差に応じて予め決められている異なる各係数値を、その２つの掛け算器に対してそれぞれ設定し、以後、その設定値に固定される。
【００２４】
ここで、両デジタル信号の両レベルの差に対応して、その２つの掛け算器に対して設定する各係数値は予め決められている。このため、そのレベル差と、これに対応する各係数値との関係を示すテーブルを予め作成しておけば、いわゆるテーブル処理により上記の処理を容易に実現できる。
このような処理の結果、Ａ／Ｄコンバータ３、４から出力される各デジタル値に誤差があるような場合に、その誤差が出力レベル調整部５で調整されるので、誤差のないデジタル信号が復調データ処理部６に供給できる。
【００２５】
次に、Ｄ／Ａコンバータ１１、１２間の出力レベルの誤差調整について説明する。
この場合には、スイッチ切換制御部１８からの切り換え制御信号により、切り換えスイッチ１の切り換え接点を端子１ｃの位置に切り換えるとともに、切り換えスイッチ２の切り換え接点を端子２ｂの位置のままとする。
【００２６】
次に、調整用データ生成部１６は、調整制御部１９からの指示に基づいて所定の調整用データ（デジタルデータ）を生成する。この生成された調整用データは、入力レベル調整部１０を経てＤ／Ａコンバータ１１、１２にそれぞれ供給させる。このとき、入力レベル調整部１０には、調整制御部１９により所定の調整値が設定されている。
【００２７】
その調整用データは、Ｄ／Ａコンバータ１１、１２でアナログ信号にそれぞれ変換される。Ｄ／Ａコンバータ１１で変換されたアナログ信号は、スイッチ１を経由してＡ／Ｄコンバータ３に供給され、Ｄ／Ａコンバータ１２で変換されたアナログ信号は、スイッチ２を経由してＡ／Ｄコンバータ４に供給される。
その変換された各アナログ信号は、Ａ／Ｄコンバータ３、４でデジタル信号にそれぞれ変換され、この変換された各デジタル信号は、出力レベル調整部５とレベル測定部１７にそれぞれ供給される。レベル測定部１７は、その各デジタル信号の各レベルをそれぞれ測定し、その各測定値を調整制御部１９に供給する。
【００２８】
調整制御部１９は、その両デジタル信号の両レベルを比較し、その両レベル差に応じて、入力レベル調整部１０の出力レベルの調整を行う。
例えば、入力レベル調整部１０が、Ｄ／Ａコンバータ１１、１２に入力される各デジタル値に対してそれぞれ掛け算を行う２つの掛け算器からなり、その掛け算の各係数値が設定できる場合には、その各係数値が調整制御部１９により以下のように設定される。
【００２９】
すなわち、調整制御部１９は、その測定した両デジタル信号の両レベルが同じ場合には、予め決められている同一の係数値を、その２つの掛け算器に対してそれぞれ設定し、以後、その設定値に固定される。
一方、調整制御部１９は、その測定した両デジタル信号の両レベルに差があるときには、その差に応じて予め決められている異なる各係数値を、その２つの掛け算器に対してそれぞれ設定し、以後、その設定値に固定される。
【００３０】
このような処理の結果、Ｄ／Ａコンバータ１１、１２の出力レベルに誤差があるような場合に、その誤差が入力レベル調整部１０で調整されるので、Ｄ／Ａコンバータ１１、１２から誤差のないアナログ信号が出力される。
以上説明したように、この第１実施形態によれば、Ａ／Ｄコンバータ３、４間の出力レベルおよびＤ／Ａコンバータ１１、１２間の出力レベルの誤差調整を、外部回路を必要とせずに自動的に行うことができる。
【００３１】
図２は、本発明の第２実施形態をＯＦＤＭ信号を送受信できる無線通信機に適用したものである。
この第２実施形態に係る無線通信機は、図２に示すように、切換スイッチ１、２と、可変利得増幅器２１、２２と、Ａ／Ｄコンバータ３、４と、復調データ処理部６とで受信系の一部を構成している。
【００３２】
ここで、この受信系と図１に示す第１実施形態に係る無線通信機の受信系との差異は、図１に示す出力レベル調整部５を可変利得増幅器２１、２２に置き換え、可変利得増幅器２１、２２でＡ／Ｄコンバータ３、４の入力レベルを調整するようにした点である。
また、この第２実施形態に係る無線通信機は、図２に示すように、変調データ生成部９と、Ｄ／Ａコンバータ１１、１２と、可変利得増幅器２３、２４とで送信系の一部を構成している。
【００３３】
ここで、この送信系と図１に示す第１実施形態に係る無線通信機の送信系との差異は、図１に示す入力レベル調整部１０を可変利得増幅器２３、２４に置き換え、可変利得増幅器２３、２４でＤ／Ａコンバータ１１、１２の出力レベルを調整するようにした点である。
そして、この無線通信機では、Ａ／Ｄコンバータ３、４間の出力レベルの誤差調整と、Ｄ／Ａコンバータ１１、１２間の出力レベルの誤差調整とを行うために、上記の切換スイッチ１、２、および可変利得増幅器２１〜２４の他に、調整部１５Ａを備えている。
【００３４】
この調整部１５Ａは、図２に示すように、調整用データ生成部１６と、レベル測定部１７と、スイッチ切換制御部１８と、調整制御部１９Ａとからなる。
可変利得増幅器２１、２２は、Ａ／Ｄコンバータ３、４間の出力レベルの誤差調整を行うものであり、調整制御部１９Ａによる利得制御により、そのＡ／Ｄコンバータ３、４の入力レベルが調整されて結果的にその出力レベルが調整されるようになっている。
【００３５】
可変利得増幅器２１、２２は、Ｄ／Ａコンバータ１１、１２間の出力レベルの誤差調整を行うものであり、調整制御部１９Ａによる利得制御により、そのＤ／Ａコンバータ１１、１２の各出力レベルが調整できるようになっている。
調整用データ生成部１６は、後述のように、Ａ／Ｄコンバータ３、４間の出力レベルの誤差調整、およびＤ／Ａコンバータ１１、１２間の出力レベルの誤差調整の際に、調整制御部１９Ａからの指示に基づいて所定の調整用データ（デジタルデータ）を生成して出力するものである。
【００３６】
レベル測定部１７は、後述のように誤差調整の際に、Ａ／Ｄコンバータ３、４の各出力レベルをそれぞれ測定するものであり、その各測定値は調整制御部１９Ａに供給されるようになっている。
スイッチ切換制御部１８は、後述のように誤差調整の際に、切り換えスイッチ１、２の各切り換え接点の切り換え制御を行うものであり、その切り換えは例えば調整制御部１９Ａからの指示に基づいて行うようになっている。
【００３７】
調整制御部１９Ａは、後述のように誤差調整の際に、各部の制御を行うものであり、例えばマイクロコンピュータで構成されるとともに、その制御手順を記憶するＲＯＭや各種のデータを記憶するＲＡＭを含む。
次に、このような構成からなる第２実施形態において、調整部１５Ａが行うＡ／Ｄコンバータ３、４間の出力レベルの誤差調整、およびＤ／Ａコンバータ１１、１２間の出力レベルの誤差調整について説明する。
【００３８】
この誤差調整は、例えば、製品の製造／出荷時、ユーザの使用の際の電源投入時などに行うが、以下では電源投入時の場合について説明する。
まず、Ａ／Ｄコンバータ３、４間の出力レベルの誤差調整について、図２を参照して説明する。
この場合には、スイッチ切換制御部１８からの切り換え制御信号により、例えば切り換えスイッチ１の切り換え接点が端子１ｂの位置に切り換えられるとともに、切り換えスイッチ２の切り換え接点が端子２ｂの位置に切り換えられる。
【００３９】
次に、調整用データ生成部１６は、調整制御部１９Ａからの指示に基づいて所定の調整用データ（デジタルデータ）を生成する。この生成された調整用データは、Ｄ／Ａコンバータ１２のみに供給されてアナログ信号に変換される。
この変換されたアナログ信号は、可変利得増幅器２４を経由したのち、スイッチ１を経由してＡ／Ｄコンバータ３に供給されると同時に、スイッチ２を経由してＡ／Ｄコンバータ４に供給される。この時には、可変利得増幅器２４の利得は、調整制御部１９Ａにより所定値に設定されている。
【００４０】
その供給された各アナログ信号は、Ａ／Ｄコンバータ３、４でデジタル信号にそれぞれ変換され、この変換された各デジタル信号は復調データ処理部６に出力されると同時にレベル測定部１７に供給される。レベル測定部１７は、その各デジタル信号の各レベルをそれぞれ測定し、その各測定値を調整制御部１９Ａに供給する。
【００４１】
調整制御部１９Ａは、その測定した両デジタル信号の両レベルを比較し、その両レベル差に応じて、可変利得増幅器２１、２４の利得を制御する。
すなわち、調整制御部１９Ａは、その測定した両デジタル信号の両レベルが同じ場合には、予め決められている同一の利得値（ゲイン）を、可変利得増幅器２１、２２にそれぞれ設定し、以後、その設定値を固定させる。
【００４２】
一方、調整制御部１９Ａは、その測定した両デジタル信号の両レベルに差があるときには、その差に応じて予め決められている異なる各利得値を、可変利得増幅器２３、２４にそれぞれ設定し、以後、その設定値を固定させる。
このような処理の結果、Ａ／Ｄコンバータ３、４から出力される各デジタル値に誤差があるような場合に、その誤差が可変利得増幅器２１、２２で調整されるので、誤差のないデジタル信号が復調データ処理部６に供給できる。
【００４３】
次に、Ｄ／Ａコンバータ１１、１２間の出力レベルの誤差調整について説明する。
この場合には、スイッチ切換制御部１８からの切り換え制御信号により、例えば、切り換えスイッチ１の切り換え接点を端子１ｃの位置に切り換えるとともに、切り換えスイッチ２の切り換え接点を端子２ｂの位置のままとする。
【００４４】
次に、調整用データ生成部１６は、調整制御部１９Ａからの指示に基づいて所定の調整用データ（デジタルデータ）を生成する。この生成された調整用データは、Ｄ／Ａコンバータ１１、１２にそれぞれ供給される。
その調整用データは、Ｄ／Ａコンバータ１１、１２でアナログ信号にそれぞれ変換される。Ｄ／Ａコンバータ１１でＤ／Ａ変換されたアナログ信号は、可変利得増幅器２３およびスイッチ１を経由してＡ／Ｄコンバータ３に供給される。また、Ｄ／Ａコンバータ１２でＤ／Ａ変換されたアナログ信号は、可変利得増幅器２４およびスイッチ２を経由してＡ／Ｄコンバータ４に供給される。この時には、可変利得増幅器２３、２４の各利得は、調整制御部１９Ａにより所定値にそれぞれ設定されている。
【００４５】
その変換された各アナログ信号は、Ａ／Ｄコンバータ３、４でデジタル信号にそれぞれ変換され、この変換された各デジタル信号は復調データ処理部６に出力されると同時にレベル測定部１７に供給される。レベル測定部１７は、その各デジタル信号の各レベルをそれぞれ測定し、その各測定値を調整制御部１９Ａに供給する。
【００４６】
調整制御部１９Ａは、その両デジタル信号の両レベルを比較し、その両レベル差に応じて、可変利得増幅器２３、２４の利得の調整を行う。
すなわち、調整制御部１９Ａは、その測定した両デジタル信号の両レベルが同じ場合には、予め決められている同一の利得値（ゲイン）を、可変利得増幅器２３、２４にそれぞれ設定し、以後、その設定値を固定させる。
【００４７】
一方、調整制御部１９Ａは、その測定した両デジタル信号の両レベルに差があるときには、その差に応じて予め決められている異なる各利得値を、可変利得増幅器２３、２４にそれぞれ設定し、以後、その設定値を固定させる。
このような処理の結果、Ｄ／Ａコンバータ１１、１２の出力レベルに誤差があるような場合に、その誤差が可変利得増幅器２３、２４で調整されるので、可変利得増幅器２３、２４から誤差のないアナログ信号が出力されることになる。
【００４８】
以上説明したように、この第２実施形態によれば、Ａ／Ｄコンバータ３、４間の出力レベルおよびＤ／Ａコンバータ１１、１２間の出力レベルの誤差調整を、外部回路を必要とせずに自動的に行うことができる。
図３は、本発明の第３実施形態をＯＦＤＭ信号を送受信できる無線通信機に適用したものである。
【００４９】
この第３実施形態に係る無線通信機は、図１に示す第１実施形態に係る無線通信機とその基本的な構成を同一とし、さらに以下の構成要素を追加するようにしたものである。
すなわち、この第３実施形態に係る無線通信機は、図３に示すように、Ｄ／Ａコンバータ１１、１２の各出力側にコンデンサＣ１、Ｃ２をそれぞれ設け、Ｄ／Ａコンバータ１１、１２の各出力信号から直流成分をカットし、この直流成分をカットした出力信号を、出力端子１７、１８から取り出すことができるようにするとともにＡ／Ｄコンバータ３、４に供給できるようにした。
【００５０】
なお、この第３実施形態に係る無線通信機の他の部分の構成は、図１に示す第１実施形態に係る無線通信機の構成と同一であるので、同一の構成要素には同一符号を付してその説明は省略する。
このような構成からなる第３実施形態では、第１実施形態と同様に、調整部１５が、Ａ／Ｄコンバータ３、４間の出力レベルの誤差調整、およびＤ／Ａコンバータ１１、１２間の出力レベルの誤差調整を行う。
【００５１】
しかし、この第３実施形態の誤差調整の場合には、Ｄ／Ａコンバータ１１、１２でＡ／Ｄ変換された各変換信号中の直流成分がコンデンサＣ１、Ｃ２によりカットされ、その直流成分がカットされたアナログ信号がＡ／Ｄコンバータ３、４に供給される。このため、第３実施形態によれば、上記の誤差調整の精度を向上させることができる。
【００５２】
次に、本発明の第４実施形態をＯＦＤＭ信号を送受信できる無線通信機に適用した場合について、図２を参照して説明する。
この第４実施形態に係る無線通信機は、図２に示す第１実施形態に係る無線通信機とその基本的な構成を同一とし、さらに以下の構成要素を追加するようにしたものである。
【００５３】
すなわち、この第４実施形態に係る無線通信機は、図２に示すＤ／Ａコンバータ１１、１２の各出力側にコンデンサ（図示せず）をそれぞれ設け、Ｄ／Ａコンバータ１１、１２の各出力信号から直流成分をカットし、この直流成分をカットした出力信号を、出力端子１７、１８から取り出すことができるようにするとともにＡ／Ｄコンバータ３、４に供給できるようにした。
【００５４】
このような構成からなる第４実施形態では、第２実施形態と同様に、調整部１５Ａが、可変利得増幅器２１〜２４の利得の調整を行う。
しかし、この第４実施形態の誤差調整の場合には、Ｄ／Ａコンバータ１１、１２でＡ／Ｄ変換された各変換信号中の直流成分がコンデンサ（図示せず）によりカットされ、その直流成分がカットされたアナログ信号がＡ／Ｄコンバータ３、４に供給される。このため、第４実施形態によれば、上記の誤差調整の精度を向上させることができる。
【００５５】
なお、上記の各実施形態では、Ａ／Ｄコンバータ３、４間の出力レベルの誤差調整、およびＤ／Ａコンバータ１１、１２間の出力レベルの誤差調整をユーザの使用の際の電源投入時に行う場合について説明した。しかし、その誤差調整は、製品の製造／出荷時に行うこともできる。
この場合には、その誤差調整は、上記の場合と同様に行うが、その誤差調整の際に得られる出力レベル調整部５や入力レベル調整部１０に設定される各設定値を、その誤差調整の終了後に不揮発性メモリに記憶しておく必要がある。そして、ユーザが使用の際の電源投入時には、その不揮発性メモリに記憶されている各設定値を出力レベル調整部５や入力レベル調整部１０に設定するようにすれば良い。
【００５６】
また、上記の各実施形態では、Ａ／ＤコンバータおよびＤ／Ａコンバータがそれぞれ２個の場合について説明した。
しかし、本発明では、Ａ／ＤコンバータとＤ／Ａコンバータは、それぞれ２個以上でも良い。その場合には、Ａ／Ｄコンバータの個数をＮ個、Ｄ／Ａコンバータの個数をＭ個とした場合に、Ｎ＝ＭまたはＮ＞Ｍの関係を満たせば良い。
【００５７】
また、上記の各実施形態では、Ａ／Ｄコンバータ３、４間の出力レベルおよびＤ／Ａコンバータ１１、１２間の出力レベルの誤差調整を、その入力側のレベルまたは出力側のレベルのいずれか一方を調整して行うようにした。しかし、これに代えて入力側と出力側の双方のレベルを調整して行うようにしても良い。
【００５８】
【発明の効果】
以上説明したように、本発明によれば、複数のＡ／Ｄコンバータおよび複数のＤ／Ａコンバータを無線通信機などに使用する場合に、その出力レベルの誤差調整を外部回路を必要とせずに自動で行うことができる。
【図面の簡単な説明】
【図１】本発明の第１実施形態を無線通信機に適用した場合の構成を示すブロック図である。
【図２】本発明の第２実施形態を無線通信機に適用した場合の構成を示すブロック図である。
【図３】本発明の第３実施形態を無線通信機に適用した場合の構成を示すブロック図である。
【符号の説明】
１、２は切換スイッチ、３、４はＡ／Ｄコンバータ、５は出力レベル調整部、６は復調データ処理部、９は変調データ生成部、１０は入力レベル調整部、１１、１２はＤ／Ａコンバータ、１５、１５Ａは調整部、１６は調整用データ生成部、１７はレベル測定部、１８はスイッチ切換制御部、１９、１９Ａは調整制御部、２１〜２４は可変利得増幅器、Ｃ１、Ｃ２はコンデンサである。
【図１】
2004242028.tif 000003
【図２】
2004242028.tif 000004
【図３】
2004242028.tif 000005